(57)【特許請求の範囲】
【請求項１】
一画素中に反射用領域と透過用領域を有する液晶表示装置用カラーフィルターを構成する樹脂被膜の分光特性であるスペクトルデータと、該液晶表示装置に用いる光源のスペクトルデータから樹脂被膜の組成と膜厚を設計する液晶表示装置用カラーフィルター設計システムであって、該樹脂被膜の組成および膜厚に対応したスペクトルデータＡと光源の種類に対応したスペクトルデータＢを保存するデータ保存手段と、該光源の種類を入力する要求データ入力手段と、スペクトルデータＡとスペクトルデータＢを組み合わせたときの色度を反射用領域と透過用領域のそれぞれについて計算する計算手段とを有することを特徴とする液晶表示装置用カラーフィルター設計システム。
【請求項２】
計算手段は、平面的に塗り分けされた赤、緑、青の複数の樹脂被膜について、それぞれの樹脂被膜の分光特性であるスペクトルデータを用い、計算する機能を有することを特徴とする請求項１に記載の液晶表示装置用カラーフィルター設計システム。
【請求項３】
計算手段は、積層された複数の樹脂被膜について、それぞれの樹脂被膜の分光特性であるスペクトルデータを用い、計算する機能を有することを特徴とする請求項１に記載の液晶表示装置用カラーフィルター設計システム。
【請求項４】
複数の樹脂被膜の分光特性であるスペクトルデータとして、透明樹脂層のスペクトルデータを用いたことを特徴とする請求項２または３に記載の液晶表示装置用カラーフィルター設計システム。
【請求項５】
計算手段は、透過用領域と反射用領域とで異なる光源のスペクトルデータを用いて計算する機能を有することを特徴とする請求項１〜４のいずれかに記載の液晶表示装置用カラーフィルター設計システム。
【発明の詳細な説明】
【技術分野】
【０００１】
本発明は、樹脂被膜および光源の電子化されたデータを用いた半透過型液晶表示装置用カラーフィルター設計システムに関するものである。
【背景技術】
【０００２】
現在、液晶表示装置は軽量、薄型、低消費電力などの特性を活かし、ノートＰＣ、携帯情報端末、デスクトップモニタ、デジタルカメラなど様々な用途で用いられている。液晶表示装置用カラーフィルターは、これらをカラー化し、画像などを色鮮やかに画面に表示させる役割を有している。
【０００３】
カラーフィルターの要求性能は、市場の動向、消費者のニーズなどを勘案し、顧客により決定される。カラーフィルターに要求される性能は様々であり、例えば、カラーフィルターの樹脂被膜の着色特性、膜厚などが挙げられる。
【０００４】
用いられる光源の種類がかわると、同じカラーフィルターを用いても、カラーフィルターを透過した光の色特性は異なる。顧客は、実際に液晶表示装置に用いる光源と組み合わせたときに、要求する色特性を満足するカラーフィルターを必要としている。従って、カラーフィルターは、光源とマッチングさせながら設計することが必要とされる。
【０００５】
特に、１画素内に透過表示用の領域と反射表示用の領域を備えた半透過型液晶表示装置の場合、透過表示はバックライト光源が表示に用いられるのに対して、反射表示では環境光（太陽光）で表示が行われ、光源特性の違いを考慮した設計が必要とされる。
【０００６】
カラーフィルターの樹脂被膜については、塗布の方法や液晶表示装置の設計などから塗布することができる膜厚に制限がある。２色以上の着色画素においては、各色画素間の膜厚の差が大きいと段差ができてしまい、液晶層の厚みが均一とならないため、画面上にムラなどが生じて表示不良となってしまうおそれがある。つまり、カラーフィルターは、限られた範囲の膜厚で、各色画素の間で膜厚差を生じないようにして要求された色特性に設計することが必要とされる。
【０００７】
従来、カラーフィルターメーカーはこれらの顧客要求に対応するため、カラーフィルターの試作を繰り返し行っていた。例えば、顧客要求に近いと思われる色特性のカラーフィルターを試作し、顧客に納入する。次に、顧客側でカラーフィルター基板と駆動基板と光源などを組み合わせ、液晶表示装置を組み立てる。そして、この液晶表示装置の色特性を測定する。このとき、色特性が顧客要求を満足していない場合は、再度カラーフィルターの試作を行わなければならなかった。
【０００８】
従って、顧客の要求する色特性のカラーフィルターを迅速に提案することはきわめて困難であった。また、このように何度も試作を繰り返し行うことは、開発コストの増加にもつながった。
【０００９】
特に、半透過型液晶表示装置用のカラーフィルターは、構造が複雑になってきており、試作回数の増加が問題となっていた。半透過型液晶表示装置用のカラーフィルターの構成例としては、１画素内に複数の樹脂被膜を形成したものや、画素内に透明領域のあるものなどが挙げられる（例えば特許文献１）。これらの構成を加味した色特性（１画素の色特性）は、分光計などの測定機で直接測定することは困難であった。特許文献１には色特性の評価方法について記載されているが、カラーフィルターの迅速な設計を可能にするコンピュータ利用の設計システムについて記載されていなかった。
【００１０】
特許文献２には、撮像用カメラに用いるカラーフィルター、撮像光源、及び観察光源の分光特性データを入力してカラーフィルターの優良指数を計算し、この結果から画像入力装置の色再現性を評価することが記載されている。しかし、液晶ディスプレイ用カラーフィルターの設計に必要とされる膜厚、および反射領域を有するカラーフィルターの評価については言及されていなかった。
【００１１】
特許文献３には、色材情報の管理システムについて開示されている。しかしながら、樹脂被膜の色特性や膜厚、または光源との組み合わせなどカラーフィルターに必要とされる特性の情報収集、計算、設計については言及されていなかった。
【特許文献１】特開２００３−９８３３７号公報
【特許文献２】特開２００２−１２２５１２号公報
【特許文献３】特開２００２−９９７３６号公報
【発明の開示】
【発明が解決しようとする課題】
【００１２】
本発明は、前記の問題に鑑み、樹脂被膜および光源の電子化されたデータを用いて、光源と組み合わせたときのカラーフィルターの特性をコンピューターを用いて算出することにより、直接色特性を評価することが出来ない複雑な構造をもつカラーフィルターでも迅速に設計することを可能にし、安価にカラーフィルターを提供することを可能とする液晶表示装置用カラーフィルター設計システムを提供することである。
【課題を解決するための手段】
【００１３】
本発明者らは、従来技術の課題を解決するために鋭意検討した結果、以下の半透過型液晶表示装置用カラーフィルター設計システムによって顧客の要求性能を満たすカラーフィルターを迅速に設計することが可能であることを見いだした。
【００１４】
本発明の液晶表示装置用カラーフィルター設計システムは、以下の構成を有するものである。
【００１５】
すなわち、
（１）一画素中に反射用領域と透過用領域を有する液晶表示装置用カラーフィルターを構成する樹脂被膜の分光特性であるスペクトルデータと、該液晶表示装置に用いる光源のスペクトルデータから樹脂被膜の組成と膜厚を設計する液晶表示装置用カラーフィルター設計システムであって、該樹脂被膜の組成および膜厚に対応したスペクトルデータＡ と光源の種類に対応したスペクトルデータＢ を保存するデータ保存手段と、該光源の種類を入力する要求データ入力手段と、スペクトルデータＡ とスペクトルデータＢ を組み合わせたときの色度を反射用領域と透過用領域のそれぞれについて計算する計算手段とを有することを特徴とする液晶表示装置用カラーフィルター設計システム。
【００１６】
（２）計算手段は、平面的に塗り分けされた赤、緑、青の複数の樹脂被膜について、それぞれの樹脂被膜の分光特性であるスペクトルデータを用い、計算する機能を有することを特徴とする（１）に記載の液晶表示装置用カラーフィルター設計システム。
【００１７】
（３）計算手段は、積層された複数の樹脂被膜について、それぞれの樹脂被膜の分光特性であるスペクトルデータを用い、計算する機能を有することを特徴とする（１）に記載の液晶表示装置用カラーフィルター設計システム。
【００１８】
（４）複数の樹脂被膜の分光特性であるスペクトルデータとして、透明樹脂層のスペクトルデータを用いたことを特徴とする（２）または（３）に記載の液晶表示装置用カラーフィルター設計システム。
【００１９】
（５）計算手段は、透過用領域と反射用領域とで異なる光源のスペクトルデータを用いて計算する機能を有することを特徴とする（１）〜（４）のいずれかに記載の液晶表示装置用カラーフィルター設計システム。
である。本発明を以下に詳細に説明する。
【発明の効果】
【００２０】
本発明を用いて液晶表示装置用カラーフィルターを設計することにより、顧客の要求する特性を有するカラーフィルターを迅速に、また繰り返し試作を行うことなく提案することができるので開発コストを抑制することが可能となる。
【発明を実施するための最良の形態】
【００２１】
以下、本発明を下記の一実施形態に基づいて説明するが、これに限定されるものではない。
【００２２】
図１に本発明の一実施形態による液晶表示装置用カラーフィルター設計システムの構成図を示す。また、図２に設計システムの処理の流れを示すフロー図を示す。
【００２３】
本実施の形態では、カラーフィルター用カラーペーストまたはカラーレジストの塗膜より得られる被膜、およびオーバーコート層などの透明被膜など、表示特性に関係する樹脂含有被膜を樹脂被膜という。カラーペーストまたはカラーレジストは、おもに着色剤、樹脂成分、溶媒からなる。着色剤は、その種類、組み合わせて用いる場合はその比率を変更することにより色特性を調節することができる。また、着色剤と樹脂の比率を変更することにより、樹脂被膜の膜厚を調整することができる。これにより、樹脂被膜の色度を同一として、その膜厚を厚く、または薄くすることが可能となる。
【００２４】
本発明の液晶表示装置用カラーフィルター設計システム（以下、設計システムと称する）は、ＣＰＵやメモリや外部記憶装置や表示装置や入力装置などを備えた一般的な構成の電子計算機であるコンピューターを用いている。設計システムは、
１．使用する光源の種類を入力する要求データ入力手段である要求入力システム。
【００２５】
２．光源と樹脂被膜の電子化されたデータから成るデータ保存手段であるデータベース（以下、データベースと称する）
３．樹脂被膜のスペクトルと光源のスペクトルから、色特性を計算する計算手段、樹脂被膜の膜厚を変更した場合のスペクトルの計算、および複数の樹脂被膜がある場合に樹脂被膜全体のスペクトルの計算をするスペクトル加工手段を有するシステム（以下、計算・加工システムと称する）
４．データベースから光源の電子化されたデータを読み込み、データベース、および計算・加工システムから樹脂被膜の電子化されたデータを読み込み、繰り返し色特性を計算することにより、顧客の要求に適した樹脂被膜を選択し出力する制御手段であるシステム（以下、選択システムと称する）から構成される。
【００２６】
以下で、赤、緑、青の３色の樹脂被膜を用いたカラーフィルターを設計する場合を用いて説明するが、本システムは、これに限定されるものではない。
まず第一に、要求データ入力手段である要求入力システムを用いて、顧客の要求するカラーフィルターの特性の情報を収集する。また同時に組み合わせる光源についての情報も収集する。顧客によっては、特定の光源ではなく、参照光源であるＣ光源での色特性を要求する場合もある。また、用いる光源も１種類であるとは限らない。これらの情報を入手することにより、色特性の計算を行う光源が確定される。
【００２７】
また、顧客から要求されるカラーフィルターの色特性としては、樹脂被膜それぞれの色度や明るさ、または、用いた樹脂被膜全体の色のバランスであるホワイトの色度や明るさや色合い、表示することが可能な色の範囲の指標となる色再現範囲などがある。また、樹脂被膜の膜厚、画素間の段差なども挙げられる。
【００２８】
要求データ入力手段である要求入力システムは、使用する光源の種類に加え、その光源のもとでのカラーフィルターに関する色度、色再現範囲、色合い、明るさのうち少なくとも１種のデータと、カラーフィルターの膜厚データを要求データとして入力する機能を備えていてもよく、顧客の要求する色特性が赤、緑、青の樹脂被膜それぞれの色度、明るさである場合、用いる光源と樹脂被膜の要求色度、明るさをコンピューターに入力してもよい。
【００２９】
ここで、色度は、ＸＹＺ表色系色度図の（ｘ、ｙ）で表される。また、ＸＹＺ表色系色度図のＹが明るさを表す。ホワイトの色合いとは、用いる光源のホワイト色度を中心と考え、カラーフィルターのホワイト色度が色度図上でどの色の方向に位置しているかを表す。例えば、中心（座標（ｘ、ｙ）＝（0.310，0.316））より左斜め下方向（青色側）に位置する場合、カラーフィルターのホワイト色度は、青みのホワイトであるという。また他に、赤みのホワイト、オレンジみのホワイト、黄色みのホワイト、緑色がかったホワイトなどが挙げられる。色再現範囲とは、ＸＹＺ表色系色度図における赤、緑、青の各色度座標を結んでなる三角形の、ＮＴＳＣ（National Television System Committee）規格に対する面積比で表される。ＣＲＴの色再現範囲はＮＴＳＣ規格比、約７０％である。色特性は、樹脂被膜が同一でも組み合わせる光源が異なると色特性がかわるため、要求される色特性がどの光源を用いたときの色特性であるかが重要である。また、画素間の段差とは、２種類以上の樹脂被膜を用いた場合、最も膜厚の厚い樹脂被膜の膜厚から最も膜厚の薄い樹脂被膜の膜厚を減じた値のことである。顧客は、これらのうち少なくとも１つ以上の色特性を要求する。
【００３０】
次に、選択システムについて説明する。選択システムは、後述するデータ保存手段であるデータベースの中から所望の特性に最も近い特性を有する赤、緑、青の樹脂被膜の組成に該当するデータを選択して、読込データとして読込をする。次に、読込データの樹脂被膜の分光特性であるスペクトルデータと光源のスペクトルデータを用いて、組み合わせたときの色度を計算・加工システムに計算させる。計算させた色度が顧客の要求する範囲であった場合、その樹脂被膜の組成を出力する。左記出力される組成において着色剤濃度は、データベースに保存された濃度パラメータそのものであっても良いし、あるいは濃度パラメータとデータベースなどに保存されたその他のデータ（ 発色剤の単位重量当たりの吸光度）に基づいて、単色あるいは複数の着色剤を混合し、算出された値であっても良い。計算した色度が顧客の要求する範囲でなかった場合、データベースからの樹脂被膜選択、データの読み込み、および計算・加工システムによる色度の計算を、要求する範囲となるように繰り返し行う。この繰り返し行うループルーチンは、計算結果の色度が顧客の要求する範囲となった際に脱ループするアルゴリズムを有することが好ましいが、これに限定されるものではなく、場合によっては、データベースの全データについて計算を行っても良く、操作者がデータベースからの樹脂被膜選択、データの読み込み、および計算・加工システムによる色度の計算をさせる操作をしてもよい。
【００３１】
また、顧客より樹脂被膜の膜厚、画素間の段差への要求がある場合は、その数値もコンピューターに入力してもよい。顧客より膜厚に対する要求がない場合は、カラーフィルターメーカーが作製しやすい膜厚を操作者がコンピューターに入力することにより、着色剤と樹脂成分の比率を決定し、出力することができる。あるいは、膜厚のディフォルト値を設定（好ましくはメニューなどで随時可変）にしておいたり、または直前の入力値を膜厚のディフォルト値に自動設定（これも、好ましくは、メニュー等により設定、解除随時可能）できる。
【００３２】
データベース中に所望の色特性となる樹脂被膜のデータがない場合、選択システム、または操作者は、所望の色特性に最も近い樹脂被膜をデータベースより選択する。これをもとに、所望の色特性となる樹脂被膜を出力するためには、計算・加工システムを利用することができる。また、顧客からホワイトの色度や明るさや色合い、または色再現範囲に対する要求があった場合も、計算・加工システムを利用することができる。
【００３３】
次に、計算手段を有する計算・加工システムについて説明する。計算・加工システムでは、選択システムで選択された樹脂被膜の分光特性であるスペクトルデータ（スペクトルデータＡ）を読込データとして読み込む。また、光源のスペクトルデータ（スペクトルデータＢ）も読み込む。そして、少なくともそのスペクトルデータＡとスペクトルデータＢを組み合わせたときの色特性を計算して計算結果を得る。これが、要求入力の適合範囲に合致するかは、選択システムに判断させても良いし、操作者が判断しても良い。また、計算結果と前記適合範囲と比較して適合度を示すパラメータを生成して、選択システムにその値を転送しても良い。
【００３４】
又、計算・加工システムは、前記の基本的な機能の他、以下の通りの条件に対応して、スペクトルデータＡを加工する計算手段を含むこともできる。即ち、樹脂被膜の膜厚変更を行うことができる。また、１画素内に反射用領域を有する場合、１画素中に複数の樹脂被膜を有する領域が存在する場合、１画素内に透明領域を有する領域が存在する場合の色度の計算を行うこともできる。
【００３５】
まずは、樹脂被膜の膜厚変更機能であるが、選択システムにおいて、所望の色特性となる樹脂被膜のデータがなかった場合は、樹脂被膜の膜厚変更を行い、色特性を顧客要求に合わせなければならない。即ち、要求された膜厚に最も近い膜厚データに対応するスペクトルデータＡから、当該要求された膜厚に相当するスペクトルデータＡを算出する。まず、該樹脂被膜の膜厚を何％に変更するかという膜厚変更倍率を入力（これは、要求データとデータベースのデータを自動的に参照して自動的に生成、入力されるものであってもよい）する。選択システムでは、ある一定間隔で抽出した波長に対する光透過率であるスペクトルデータをある一定間隔で抽出した波長に対する吸光度に変換する。次に、この変換したデータに膜厚変更倍率を乗じる。膜厚変更後のデータを再度、ある一定間隔で抽出した波長に対する光透過率に変換した後、選択した光源での色度を計算し、出力する。ただし、膜厚変更倍率が±４０％の範囲を超えると、計算値の信頼性が低くなるため、膜厚変更倍率は、上記範囲内の値を入力することが好ましい。
【００３６】
次に反射用領域の計算手段について説明する。反射用領域とは、液晶表示装置において反射膜が形成されている領域に対応するカラーフィルター画素領域のことをいうものであり、反射膜の可視領域での平均反射率が８０％以上であることが好ましい。また、反射膜に凹凸形状の散乱機能が付与されている場合には、可視領域での全空間における積分反射率が８０％以上であることが好ましい。１画素内に反射用領域を有する場合、顧客の要求により、反射用領域について樹脂被膜の２回透過の色特性を出力する。２回透過の色特性とは、環境光を含む光源が入射のときと反射後出射するときの２回、樹脂被膜を透過した場合の色特性を表す。この場合、計算・加工システムにおいて、２回透過の色特性を選択する。計算・加工システムでは、樹脂被膜の分光特性を各波長で自乗し、反射係数を乗じた反射のスペクトルデータを算出する。ここで、反射係数とは用いる反射板の反射特性による値であり、完全反射する場合は各波長に対して１００、アルミ鏡面の場合は波長によって異なるがおよそ８７〜９０程度の値となる。次に、前記、反射のスペクトルデータと光源を組み合わせたときの色度を計算し、出力する。赤、緑、青の樹脂被膜が全て入力されている場合には、後述の通りホワイトの色度と明るさ、色再現範囲も出力する。
【００３７】
又、１画素中に複数の樹脂被膜を有するような画素が存在する場合の計算手段について説明する。該領域について用いている樹脂被膜全てを加味した色特性を出力する。複数の樹脂被膜を有する場合には、樹脂被膜が積層されている場合と塗り分けられている場合の２通りある。樹脂被膜が積層されている場合は、計算・加工システムにおいて、用いている樹脂被膜の分光特性をそれぞれ各波長で掛け合わせ、スペクトルデータを算出する。なお、前記積層は１画素の全領域であっても良いし、一部の領域であっても良い。複数の樹脂被膜で塗り分けられている場合は、計算・加工システムにおいて、用いている樹脂被膜の分光特性をそれぞれ各波長で該樹脂被膜が塗布された領域の面積についての加重平均を取り、スペクトルデータを算出する。ただし、複数の樹脂被膜を有する領域が反射用領域である場合は、先に分光特性をそれぞれ各波長で自乗し、該樹脂被膜が塗布された領域の面積についての加重平均を取り、反射のスペクトルデータを算出する。次に、前記スペクトルデータと光源を組み合わせたときの色度を計算し、出力する。赤、緑、青の樹脂被膜が全て入力されている場合には、後述の通りホワイトの色度と明るさ、色再現範囲も出力する。
【００３８】
樹脂被膜は、着色していてもよく、透明であってもよい。樹脂被膜が透明であり、平面的に着色樹脂被膜を有しない場合、ここでは特にその領域を透明領域と呼ぶ。透明領域とは具体的には可視領域での平均透過率が８０％以上である領域である。１画素内に透明領域を有する領域が存在する場合は、該領域について樹脂被膜を塗布した着色領域と透明領域を加味した色特性を出力する。計算・加工システムにおいて、該領域中の着色領域の分光特性、透明領域の分光特性をそれぞれ各波長で着色領域と透明領域との面積についての加重平均を取り、スペクトルデータを算出する。ただし、該領域が反射用領域である場合は、着色領域の分光特性、透明領域の分光特性をそれぞれ各波長で自乗し、着色領域と透明領域との面積についての加重平均を取り、スペクトルデータを算出する。次に、前記スペクトルデータと光源を組み合わせたときの色度を計算し、出力する。赤、緑、青の樹脂被膜が全て入力されている場合には、後述の通りホワイトの色度と明るさ、色再現範囲も出力する。
【００３９】
更に計算・加工システムでは各画素単体の光学特性のみならず、カラーフィルターあるいはディスプレイ全体の光学特性も算出することができる。顧客からホワイトの色度や明るさや色合い、または色再現範囲などの特性が要求された場合も前記のように計算・加工システムを用いて、データベースからの読込データより前記特性が算出される。赤、緑、青の樹脂被膜の膜厚変更倍率を入力すると、計算・加工システムでは膜厚変更後のそれぞれの色度を計算しホワイトの色度、明るさを出力する。色の濃さ、つまり樹脂被膜の膜厚、または樹脂被膜中の着色剤の重量％を変更することにより、ホワイトの色度、明るさ、色合いを調節することができる。ただし、膜厚変更のみで所望の特性が得られない場合は、選択システムで再度、樹脂被膜を選択する。色再現範囲については、赤、緑、青の色度が濃くなる、つまり、樹脂被膜の膜厚が厚くなるほど、または、着色剤の重量％が大きくなるほど、色再現範囲は広がるので、所望の色再現範囲となるようにそれぞれの樹脂被膜の膜厚変更倍率を入力する。膜厚変更倍率の入力のみでは所望の特性が得られない場合は、所望の特性を示す範囲の重量％の樹脂被膜を再度選択する。
【００４０】
最後に、データ保存手段であるデータベース、およびその構築について説明する。
光源については、各光源の名称とそれに対応してそれぞれのスペクトルデータ（スペクトルデータＢ）を保存する。光源としては、Ｃ光源、Ｄ６５光源、Ｆ１０光源、３波長蛍光管、ＬＥＤ光源、有機エレクトロルミネッセンス光源など顧客の要求に応じて様々な種類が用いられる。これらの光源の電子化されたスペクトルデータは、文献や顧客より収集する。光源の電子化されたデータとは、可視光線領域（３８０〜７８０nm）についてある一定間隔（好ましくは０．１〜５nm間隔）で抽出した波長に対する相対強度である。
【００４１】
樹脂被膜の電子化されたデータとは、着色剤組成データと膜厚データと、前記の両者に対応したスペクトルデータ（スペクトルデータＡ）などが挙げられる。着色剤組成データとは、如何なる種類の着色剤がどの程度の濃度にて樹脂被膜に含有されているか示すものであり、即ち、着色剤の種類と濃度の２つのパラメータに分けることができる。なお、単一種類の着色剤の場合もあれば、複数種類の着色剤が含まれる場合もある。前記濃度を定義するパラメータとしては、重量％、重量／体積の比率、膜厚当たりの光学濃度等があるが、重量％が好ましい。また、膜厚は、膜厚測定機などを用いて測定され、測定されたデータは数値データとして電子化しデータベースに入力する。スペクトルデータＡは、分光光度計などを用いて測定され、測定されたデータは電子化しデータベースに入力する。スペクトルデータは、可視光線領域（３８０〜７８０nm）についてある一定間隔（好ましくは０．１〜５nm間隔）で抽出した波長に対する光透過率である。
【００４２】
樹脂被膜の分光特性と膜厚は、着色剤の種類、２種類以上着色剤を用いる場合にはそれぞれの着色剤の比率（パラメータ上、２種類以上の着色剤のその種類と比率を着色剤の種類として、２種類以上の着色剤の濃度合計を着色剤濃度として定義すればよい、又、比率については各着色剤組合せにおいて好適に用いられているものを登録してスペクトルデータＡを保存しておけばよい）、着色剤と樹脂成分の比率などの組成を変更することにより異なる。従って、樹脂被膜の電子化されたデータは、各々の樹脂被膜の組成に対して、分光特性であるスペクトルデータおよび膜厚のデータから成る。即ち、各種着色剤の種類毎に、着色剤濃度毎（濃度パラメータ（重量％））について、好ましくは下限値は３〜１５重量％、上限値は５０〜７０重量％、下限値から上限値の範囲にて、好ましくは６〜１０等分（非等分であってもよい）に分けた点と前記範囲の上下限点の値毎）、厚さ毎（好ましくは下限値を０．４〜０．６μｍ、上限値を２．５〜５μｍ、下限値から上限値の範囲にて、好ましくは８〜１４等分（非等分であってもよい）に分けた点と前記範囲の上下限点の値毎）に、それぞれ対応してスペクトルデータが保存されていることが好ましい。即ち、着色剤の種類がＬ個、濃度の種類がＭ個、被膜厚さの種類がＮ個ならば、Ｌ×Ｍ×Ｎ個のスペクトルデータが保存されることとなる。なお、スペクトルデータＡの測定においては、各着色剤に適した樹脂が含まれた状態で行われるが、前記樹脂は可視領域においては実質上透明である。必要に応じて、スペクトルデータが測定された際の樹脂の種類をデータベースに保存しておいても良い。
【００４３】
ここで、着色剤の種類としては、有機顔料、無機顔料、染料など樹脂被膜に目的とする色特性を与えることができるならば特に限定なく用いることができる。また、１種類の着色剤だけで目的とする色特性を得ることができない場合は、２種類以上の着色剤を組み合わせて用いることもできる。着色剤を組み合わせる場合、その比率をかえると色特性を変化させることができ、この比率には特に限定はない。着色剤と樹脂成分の比率にも特に限定はないが、着色剤の比率が大きくなりすぎると樹脂被膜の原料であるカラーペーストまたはカラーレジストの流動特性が低下し、樹脂被膜を形成した際にその外観に欠陥などを生じるおそれがあるので、カラーペースト全固形分重量を１００とした場合、０＜着色剤≦６０、４０≦樹脂成分＜１００の範囲であることが好ましい。また、オーバーコート層や液晶層厚み調整層など透明性が要求される樹脂被膜の場合は、着色剤を含まなくてもよい。
【００４４】
樹脂被膜の膜厚は、一般的に０．５μm〜４μmの範囲で用いられる。従って、このような範囲の樹脂被膜のデータがより多くデータベースに蓄積されていれば、顧客要求に迅速に対応することが可能となる。
【００４５】
前記のような光源と樹脂被膜の電子化されたデータをデータベースに予め必要と予期されるものについて蓄積しておいたり、あるいは、繰り返し当該システムを使用する過程で、顧客要求の頻度などに応じて新たに蓄積することなどによりデータベースを構築することができる。
【００４６】
上記のデータベース、選択システム、計算・加工システムを用いて出力された色特性、膜厚、膜厚差などのカラーフィルターの特性を顧客に提案する。顧客より修正依頼があった場合は、その修正内容を要求入力システムにより入力し、選択システム、計算・加工システムどちらかを用いて再計算、出力を行う。顧客より提案したカラーフィルターの特性で認定がとれた場合は、前記出力結果に樹脂被膜の組成を加えた結果からカラーフィルターの製造を行うことができる。
【産業上の利用可能性】
【００４７】
本発明は、樹脂被膜および光源の電子化されたデータを用いた液晶表示装置用カラーフィルター設計システムを提供するものである。
【図面の簡単な説明】
【００４８】
【図１】本発明の一実施形態によるカラーフィルター設計システムの構成図である。
【図２】カラーフィルター設計システムにおいて行われる処理の流れを示すフロー図である。
【図３】カラーフィルター設計システムにおいて行われる処理の流れを示すフロー図である。
【図１】
0004645134.tif 000002
【図２】
0004645134.tif 000003
【図３】
0004645134.tif 000004